(57)【要約】【課題】ファン固定子の磁力の中心位置を変えることができるため、ファンの騒音及び磨損率を大幅に低下させられ、これによりファンの寿命を延長することができるファン固定子構造を提供する。【解決手段】ファン固定子構造1は、少なくとも１個の第一シリコンスチール片101、及び少なくとも１個の第二シリコンスチール片102を備える固定子ユニット10からなり、第二シリコンスチール片102は基部1021、及び基部1021から延伸する少なくとも１個の延伸部1022を備え、第一、二シリコンスチール片101、102は重なって固定子ユニット10を形成し、第一、二シリコンスチール片101、102により固定子ユニット10の磁力中心位置を変えることで、騒音及び磨損率の低下を達成し、こうしてファンの寿命を延長することができる。【選択図】図１
0003180081.tif 000002
【実用新案登録請求の範囲】
【請求項１】
ファン固定子構造は、固定子ユニットからなり、
前記固定子ユニットは、少なくとも１個の第一シリコンスチール片及び少なくとも１個の第二シリコンスチール片を備え、
前記第二シリコンスチール片は、基部、及び少なくとも１個の延伸部を備え、該延伸部は、該基部の少なくとも一方の側から延伸して形成し、
前記第一シリコンスチール片及び該該第二シリコンスチール片は、重なって該固定子ユニットを形成したことを特徴とするファン固定子構造。
【請求項２】
前記第一シリコンスチール片は、第一端面及び第二端面を備え、
前記第二シリコンスチール片は、該第一端面或いは該第二端面の内の何れかに密着して設置したことを特徴とする請求項１に記載のファン固定子構造。
【請求項３】
前記第一シリコンスチール片の第一端面及び該第二端面には同時に、該第二シリコンスチール片を設置したことを特徴とする請求項２に記載のファン固定子構造。
【請求項４】
前記固定子ユニットはさらに、穿孔を備え、
前記穿孔軸は、該第一シリコンスチール片及び該第二シリコンスチール片を軸方向に貫通したことを特徴とする請求項１に記載のファン固定子構造。
【請求項５】
前記固定子ユニットはさらに、複数の極柱を備え、
前記延伸部は、該各極柱の末端に設置したことを特徴とする請求項１に記載のファン固定子構造。
【請求項６】
前記延伸部はさらに、第一延伸端及び第二延伸端及び第三延伸端を備えたことを特徴とする請求項５に記載のファン固定子構造。
【請求項７】
前記第一、二、三延伸端は、同じ長さを呈することを特徴とする請求項６に記載のファン固定子構造。
【請求項８】
前記第一、二、三延伸端は、違う長さを呈することを特徴とする請求項６に記載のファン固定子構造。
【考案の詳細な説明】
【技術分野】
【０００１】
本考案はファン固定子構造に関し、特にファン固定子の磁力の中心位置を変えることができるため、ファンの騒音及び磨損率を大幅に低下させられ、これによりファンの寿命を延長することができるファン固定子構造に関する。
【背景技術】
【０００２】
散熱、冷卻機能を備えるファンは、電子製品において非常に重要なパーツである。
小はポータブル電子デバイスから、大は交通機関に至るまで多くの電子設備があるが、これら電子設備は作動時に、しばしば高温を発生する。
該高温は作動性能に影響を及ぼし、深刻な場合には、該各電子設備がフリーズ、シャットダウンしてしまうこともある。
【０００３】
そのため、該各電子設備の多くは、作動の安定性を確保するため、ファンを使用して散熱、冷卻し、温度を下げている。
すなわち、ファンの信頼性と耐用性は、電子設備の安定的な作動を確実にするための重要な要素である。
そのため、ファンメーカー各社は、さまざまなニーズに対応するため、より多様なファンの開発にしのぎを削っている。
【０００４】
市場で見られる従来のファンは、固定子ユニットとローターが極性変化を生じる原理により、ファンを運転させている。
ファンが高速で運転すれば、ファンのブレードは不規則な揺れを生じるが、それが長期間にわたれば、ファンのベアリングは、ブレード軸心による摩擦で磨損する。
これにより、機械騒音が生じ、さらにはファンの寿命を縮減してしまう。
さらに、従来の固定子ユニットのシリコンスチール片はすべて、平板形態を呈するため、磁力の中心は、シリコンスチール片が重なった厚みの中心へと寄るようにしか制御できず、最適な磁力中心位置を維持することはできない。
【０００５】
上記したように、従来の構造は以下の欠点を備える。
1. 騒音を拡大させる。
2. 摩損率を拡大させる。
3. ファンの寿命が短い。
本考案は、従来のファン固定子構造の上記した欠点に鑑みてなされたものである。
【先行技術文献】
【特許文献】
【０００６】
【特許文献１】特開２００６−４９６７２号公報
【考案の概要】
【考案が解決しようとする課題】
【０００７】
本考案が解決しようとする課題は、ファン固定子の磁力の中心位置を変えることができるため、これによりファン騒音及び磨損率を低下させられ、こうしてファンの寿命を延長できるファン固定子構造を提供することである。
【課題を解決するための手段】
【０００８】
上記課題を解決するため、本考案は下記のファン固定子構造を提供する。
ファン固定子構造は、固定子ユニットからなり、
該固定子ユニットは、少なくとも１個の第一シリコンスチール片、及び少なくとも１個の第二シリコンスチール片を備え、
該第二シリコンスチール片は、基部、及び少なくとも１個の延伸部を備え、
該延伸部は、該基部の少なくとも一方の側から垂直に延伸して形成し、
該第一シリコンスチール片及び該該第二シリコンスチール片は、重なって、該固定子ユニットを形成し、
該第一シリコンスチール片は、第一端面及び第二端面を備え、
該第二シリコンスチール片は、該第一端面或いは該第二端面の内の何れかに設置し、
該ファン固定子構造は、該第一、二シリコンスチール片を重ねて該固定子ユニットを形成することで、ファン固定子の磁力中心位置を変え、吸着力を拡大、或いは変化させ、ファン運転時の振動により生じる機械騒音及び磨損を減らし、こうしてファンの寿命を延長することができる。
【考案の効果】
【０００９】
本考案のファン固定子構造は、ファン固定子の磁力の中心位置を変えることができるため、これによりファン騒音及び磨損率を低下させられ、ファンの寿命を延長することができる。
【図面の簡単な説明】
【００１０】
【図１】本考案ファン固定子構造第一実施例の立体分解図である。
【図２】本考案ファン固定子構造第一実施例の立体組合せ図である。
【図３】本考案ファン固定子構造第二実施例の立体分解図である。
【図４】本考案ファン固定子構造第三実施例の立体分解図である。
【図５】本考案ファン固定子構造第四実施例の立体分解図である。
【図６】本考案ファン固定子構造第四実施例の立体組合せ図である。
【考案を実施するための形態】
【００１１】
以下に図面を参照しながら本考案を実施するための最良の形態について詳細に説明する。
【実施例】
【００１２】
図１、２は、本考案ファン固定子構造の第一実施例の立体分解図及び立体組合せ図である。
【００１３】
図に示すように、ファン固定子構造1は、固定子ユニット10からなり、該固定子ユニット10は、少なくとも１個の第一シリコンスチール片101、及び少なくとも１個の第二シリコンスチール片102を備える。
【００１４】
該第二シリコンスチール片102は、基部1021、及び少なくとも１個の延伸部1022を備え、該延伸部1022は、該第一基部1021の少なくとも一方の側から垂直に延伸して形成する。
【００１５】
該第一シリコンスチール片101及び該第二シリコンスチール片102は、重なって該固定子ユニット10を形成する。
【００１６】
該固定子ユニット10はさらに、穿孔11及び複数の極柱12を備える。
【００１７】
該穿孔11は、該第一シリコンスチール片101及び該第二シリコンスチール片102を軸方向に貫通する。
【００１８】
該延伸部1022は、該各極柱12の末端に設置し、該延伸部1022は、第一延伸端1022a、第二延伸端1022b、第三延伸端1022cを備え、該第一、二、三延伸端1022a、1022b、1022cの長さは同一である。
【００１９】
該第一シリコンスチール片101は、第一端面1011及び第二端面1012を備え、該第二シリコンスチール片102は、該第一シリコンスチール片101の第一端面1011に密着して設置される。
【００２０】
ファンが運転すると、固定子とローター運転の原理は、極性変化を利用し回転を生じるため、該第一、二シリコンスチール片101、102が重なって形成された該固定子ユニット10を通して、該第一、二シリコンスチール片101、102の延伸部1022は、固定子とローター磁力中心位置を変える方式により、吸着力を拡大、或いは変化させ、ファン運転時の振動により生じる機械騒音及び磨損状況を大幅に低減させ、こうしてファンの寿命を延長することができる。
【００２１】
図３は、本考案ファン固定子構造の第二実施例の立体分解図である。
【００２２】
本実施例のファン固定子構造の一部の部品、及び部品間の相対関係は、上記したファン固定子構造と相同であるため、ここでは再記述を行わないが、本実施例と上記した構造との主要な差異は、該第二シリコンスチール片102を、該第一シリコンスチール片101の第二端面1012に密着させて設置する点である。
【００２３】
ファン運転時には、該第一、二シリコンスチール片101、102が重なって形成された該固定子ユニット10を通して、該第一、二シリコンスチール片101、102の延伸部1022が固定子とローター磁力中心位置を変える方式を利用し、吸着力を拡大、或いは変化させ、ファン運転時の振動により生じる機械騒音及び磨損問題を減少させ、こうしてファンの寿命を延長することができる。
【００２４】
図４は、本考案ファン固定子構造の第三実施例の立体分解図である。
【００２５】
本実施例のファン固定子構造の一部の部品、及び部品間の相対関係は、上記したファン固定子構造と相同であるため、ここでは再記述を行わないが、本実施例と上記した構造との主要な差異は、該第一シリコンスチール片101の第一、二端面1011、1012には同時に、該第二シリコンスチール片102を設置する点である。
【００２６】
ファン運転時には、該第一、二シリコンスチール片101、102を重ねて形成した該固定子ユニット10を通して、該第一、二シリコンスチール片101、102の延伸部1022は、固定子とローター磁力中心位置を変える方式により、吸着力を拡大、或いは変化させ、これによりファン運転時の振動により生じる機械騒音及び磨損状況を大幅に低減させ、こうしてファンの寿命を延長することができる。
【００２７】
図５、６は、本考案ファン固定子構造の第四実施例の立体分解図及び立体組合せ図である。
【００２８】
本実施例のファン固定子構造の一部の部品、及び部品間の相対関係は、上記したファン固定子構造と相同であるため、ここでは再記述を行わないが、本実施例と上記した構造との主要な差異は、該第一、二、三延伸端1022a、1022b、1022cの長さが、それぞれ異なる点である。
【００２９】
これにより、必要に応じて、該第一、二、三延伸端1022a、1022b、1022cの長さをかえることができ、こうして磁力中心位置は、該第一、二、三延伸端1022a、1022b、1022c長さの違いに従い変化し、吸着力を拡大、或いは改変することで、ファン運転時の振動により生じる騒音及び磨損を減らし、こうしてファンの寿命を延長することができる。
【００３０】
以上のように、本考案は従来の構造に比べ、以下の長所を備える。
1. 騒音を減らすことができる。
2. 磨損率を低下させることができる。
3. ファンの寿命を延長できる。
【００３１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３３】
1  ファン固定子構造
10  固定子ユニット
101  第一シリコンスチール片
1011  第一端面
1012  第二端面
102  第二シリコンスチール片
1021  基部
1022  延伸部
1022a  第一延伸端
1022b  第二延伸端
1022c  第三延伸端
11  穿孔
12  極柱
【図１】
0003180081.tif 000003
【図２】
0003180081.tif 000004
【図３】
0003180081.tif 000005
【図４】
0003180081.tif 000006
【図５】
0003180081.tif 000007
【図６】
0003180081.tif 000008